(57)【要約】    【課題】  色収差を始めとした諸収差を良好に補正し、かつ小型軽量の光学系及びそれを有する光学機器を得ること。    【解決手段】  物体側から像側へ順に、正の屈折力の前群、絞り、正または負の屈折力の後群を有し、前群は正レンズGp1、後群は負レンズGn1を有し、正レンズGp1の材料のアッベ数をνdp1、ｇ線とＦ線に対する部分分散比をθgFp1、負レンズGn1の材料のｄ線に対する屈折率、アッベ数をそれぞれNdn1、νdn1、ｇ線とＦ線に対する部分分散比をθgFn1とするとき、75＜νdp1＜99、0.020＜θgFp1−0.6438+0.001682×νdp1＜0.100、1.75＜Ndn1＜2.10、0.020＜θgFn1−0.6438+0.001682×νdn1＜0.100なる条件を満足していること。【選択図】    図１
2011085788.tif 000002
【特許請求の範囲】
【請求項１】
物体側から像側へ順に、正の屈折力の前群、絞り、正または負の屈折力の後群を有し、前記前群は正レンズGp1、前記後群は負レンズGn1を有し、前記正レンズGp1の材料のアッベ数をνdp1、ｇ線とＦ線に対する部分分散比をθgFp1、前記負レンズGn1の材料のｄ線に対する屈折率、アッベ数をそれぞれNdn1、νdn1、ｇ線とＦ線に対する部分分散比をθgFn1とするとき、
75＜νdp1＜99
0.020＜θgFp1−0.6438+0.001682×νdp1＜0.100
1.75＜Ndn1＜2.10
0.020＜θgFn1−0.6438+0.001682×νdn1＜0.100
なる条件を満足していることを特徴とする光学系。
【請求項２】
前記絞りから前記後群の最も像側のレンズ面までの距離をＬとするとき、前記絞りからの距離が０．５Ｌから１．０Ｌまでの間に前記負レンズGn1が配置されていることを特徴とする請求項１に記載の光学系。
【請求項３】
前記後群は少なくとも１枚の正レンズGp2を有し、前記正レンズGp2の材料のｄ線に対する屈折率、アッベ数をそれぞれNdp2、νdp2、ｇ線とＦ線に対する部分分散比をθgFp2とするとき、
1.90＜Ndp2+0.0125νdp2＜2.24
-0.010＜θgFp2−0.6438+0.001682×νdp2＜0.003
なる条件を満足していることを特徴とする請求項１又は２に記載の光学系。
【請求項４】
前記絞りから前記後群の最も像側のレンズ面までの距離をＬとするとき、前記絞りからの距離が０．５Ｌから１．０Ｌまでの間に前記正レンズGp2が配置されていることを特徴とする請求項１乃至３のいずれか１項に記載の光学系。
【請求項５】
請求項１乃至４のいずれか１項に記載の光学系を備えていることを特徴とする光学機器。
【発明の詳細な説明】
【技術分野】
【０００１】
本発明は光学系及びそれを有する光学機器に関し、たとえば、銀塩カメラ・デジタルスチルカメラ・デジタルビデオカメラ等の光学機器に好適なものである。
【背景技術】
【０００２】
従来、長焦点距離の撮影光学系として、物体側から像側へ順に、正の屈折力の第1レンズ群と、負の屈折力の第２レンズ群とを有する望遠タイプの撮影光学系（望遠レンズ）が知られている（特許文献１、２、３参照）。
【０００３】
望遠レンズでは、焦点距離が長くなるに従って、諸収差のうち、特に軸上色収差及び倍率色収差等の色収差が多く発生する。一般にそれらを補正するにはレンズ全長を長くすると共に、前群の有効径を大きくする必要がある。そのため望遠レンズは、高い光学性能と撮影時の利便性や携帯性を両立させることが課題となっている。
【０００４】
特許文献１、２では、軸上光線の入射高と軸外主光線の入射高が共に大きくなる第１レンズ群の前側に、蛍石等の異常部分分散性を持つ低分散材料より成る正レンズを配置する構成により、色収差の補正と全系の小型化を図っている。また、特許文献３では、軸外主光線の入射高が大きい後群の像面側に、低屈折率低分散の異常部分分散ガラスよりなる負レンズを配置することで、更なる色収差の補正と全系の小型化を図っている。
【先行技術文献】
【特許文献】
【０００５】
【特許文献１】特開２００８−１４５５８４号公報
【特許文献２】特開平１１−３２６７５４号公報
【特許文献３】特開２００８−０９６６５６号公報
【発明の概要】
【発明が解決しようとする課題】
【０００６】
上記特許文献１、２、３では、それぞれ色収差が良好に補正された望遠レンズを開示している。近年、多くの光学機器には、色収差をはじめとした諸収差をさらに良好に補正し、かつ全系が小型で軽量の高い光学性能を有する望遠型の撮影光学系が要望されている。
【０００７】
本発明は、色収差を始めとした諸収差を良好に補正し、かつ全系が小型で軽量の光学系及びそれを有する光学機器を提供することを目的としている。
【課題を解決するための手段】
【０００８】
本発明の光学系は、物体側から像側へ順に、正の屈折力の前群、絞り、正または負の屈折力の後群を有し、前記前群は正レンズGp1、前記後群は負レンズGn1を有し、前記正レンズGp1の材料のアッベ数をνdp1、ｇ線とＦ線に対する部分分散比をθgFp1、前記負レンズGn1の材料のｄ線に対する屈折率、アッベ数をそれぞれNdn1、νdn1、ｇ線とＦ線に対する部分分散比をθgFn1とするとき、
75＜νdp1＜99
0.020＜θgFp1−0.6438+0.001682×νdp1＜0.100
1.75＜Ndn1＜2.10
0.020＜θgFn1−0.6438+0.001682×νdn1＜0.100
なる条件を満足していることを特徴としている。
【発明の効果】
【０００９】
本発明によれば、色収差を始めとした諸収差を良好に補正し、かつ全系が小型で軽量の光学系及びそれを有する光学機器を実現することができる。
【図面の簡単な説明】
【００１０】
【図１】本発明の数値実施例１のレンズ断面図
【図２】本発明の数値実施例１における物体無限遠のときの収差図
【図３】本発明の数値実施例２におけるレンズ断面図
【図４】本発明の数値実施例２における物体無限遠のときの収差図
【図５】本発明の数値実施例３におけるレンズ断面図
【図６】本発明の数値実施例３における物体無限遠のときの収差図
【図７】本発明の撮影装置の要部概略図
【発明を実施するための形態】
【００１１】
以下に、本発明の光学系（撮影光学系）及びそれを有する光学機器について説明する。本発明の光学系は、物体側から像側へ順に、正の屈折力（パワー）の前群LF、絞りS、正または負の屈折力の後群LRを有している。
【００１２】
図１は本発明の実施例１の光学系のレンズ断面図、図２は本発明の実施例１の物体距離無限遠における収差図である。図３は本発明の実施例２の光学系のレンズ断面図、図４は本発明の実施例２の物体距離無限遠における収差図である。図５は本発明の実施例３の光学系のレンズ断面図、図６は本発明の実施例３の物体距離無限遠における収差図である。
【００１３】
レンズ断面図において、左方が物体側（前方）で右方が像側（後方）である。OLは光学系（撮影光学系）、ＬＦは正の屈折力の前群、ＬＲは正または負の屈折力の後群、Ｓは開放絞り(絞り）である。ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当し、銀塩フィルム用カメラのときはフィルム面等の感光面に相当する。各収差図において、ｄ、ｇ、Ｃ、Ｆは各々ｄ線，ｇ線，Ｃ線，Ｆ線である。ｄS、ｄMはｄ線のサジタル像面、メリジオナル像面、ｇS、ｇMはｇ線のサジタル像面、メリジオナル像面である。倍率色収差はそれぞれｇ線、Ｆ線、Ｃ線で表わしている。またＧは光学フィルターやフェースプレート等のガラスブロックであり、本実施例中の後群ＬＲには含まれないものとする。また、本実施例中のバックフォーカスとは、前記ガラスブロックＧがない状態での、後群ＬＲの最も像側の最終レンズの最終レンズ面Reから像面ＩＰまでの距離を表している。
【００１４】
本実施例の撮影光学系に用いるレンズの材料の部分分散比とアッベ数は次の通りである。フラウンフォーファ線のｇ線(波長４３５．８ｎｍ）、Ｆ線(波長４８６．１ｎｍ）、ｄ線(波長５８７．６ｎｍ）、Ｃ線(波長６５６．３ｎｍ）に対する屈折率をそれぞれＮｇ、ＮＦ、Ｎｄ，ＮＣとする。アッベ数νｄ、ｇ線とＦ線に関する部分分散比θgFは次の通りである。
【００１５】
νd＝（Nd−１）／（NF−NC）
θgF＝（Ng−NF）／（NF−NC）
このとき
θgF−0.6438+0.001682×νd＞0.02
なる条件を満足する材料を「異常部分分散材料」と称している。
【００１６】
各実施例の光学系は、デジタルカメラ・ビデオカメラ、銀塩フィルム用カメラ等の撮像装置や、望遠鏡、双眼鏡の観察装置、プロジェクター等の光学機器に用いられるものである。
【００１７】
次に、本発明の光学系に係わる収差補正の原理について説明する。一般的に、望遠レンズでは、正の屈折力の前群のパワーを強くすることで、レンズ全長の短縮や前玉有効径の小型化を図っている。しかしながら、正のパワーを強くすると、軸上色収差及び倍率色収差が多く発生するため、高い光学性能を得るのが困難になる。
【００１８】
特許文献１、２の望遠レンズでは、軸上光線の入射高と軸外主光線の入射高が共に大きい正の屈折力の前群に蛍石等の低分散かつ異常部分分散性を有する材料よりなるレンズを用いている。これにより前群の正のパワーをある程度強くしても、軸上色収差と倍率色収差が良好に補正できるようにしている。しかしながら、軸上色収差と倍率色収差の双方を良好に補正するためには、正の屈折力の前群のパワー (屈折力）が限られ、正のパワーを十分に強めることが難しい。
【００１９】
特許文献３では、軸上光線の入射高が小さく、軸外主光線の入射高が大きい第３レンズ群の負レンズに蛍石等の低屈折率低分散、かつ異常部分分散性を有する材料を用いている。これによりｇ線の倍率色収差を効果的に補正している。しかしながら、低屈折率低分散の材料よりなる負レンズでは、像面湾曲や非点収差、更にはC線とF線の倍率色収差の補正効果が十分でない。このため、前群のパワーを十分に強めることが困難である。
【００２０】
これに対して、本実施例では後群LR中に、高屈折率、高分散、かつ異常部分分散性を有する材料よりなる負レンズGn1を配置している。これにより、後群LRで十分に倍率色収差、像面湾曲、非点収差の補正効果が得られるため、前群LFの正のパワー（屈折力）を強めることができ、レンズ全長の短縮や前玉有効径の小型化を達成している。
【００２１】
次に本発明の光学系（撮影光学系）の各実施例について説明する。本発明の光学系では、軸上光線の入射高が高い、前群LFの物体側に異常部分分散材料よりなる正レンズGp1を用いることで、軸上色収差の補正を行っている。
【００２２】
具体的には、正レンズGp1の材料のｄ線に対するアッベ数をνdp1、ｇ線とＦ線に対する部分分散比をθgFp1とする。このとき、
75＜νdp1＜99・・・（1）
0.020＜θgFp1−0.6438+0.001682×νdp1＜0.100・・・（2）
なる条件を満足している。
【００２３】
条件式(1)の上限値を超えると、加工が容易な材料を入手することが困難で、かつ樹脂材料を始めとする加工が困難な材料に限られるため、生産性を考慮した際、望遠レンズに要望される良好な光学性能を安定して供給することが難しい。また、条件式（1）の下限値を超えると、Ｃ線とＦ線の軸上色収差が過剰に発生するため、正レンズGp1のパワーを弱くする必要があり、その結果、レンズ全長が増大し、かつ前玉有効径が大型化してくる。
【００２４】
条件式（2）の上限値を超えると、加工が容易な材料を入手することが困難でかつ、樹脂材料を始めとする加工が困難な材料に限られるため、生産性を考慮した際、望遠レンズに要望される良好な光学性能を安定して供給することが難しい。また、条件式（2）の下限値を超えると、ｇ線の軸上色収差の発生量が不足するため、良好な色収差特性を得ることが難しくなる。
【００２５】
さらに好ましくは上記条件式(1),(2)の数値範囲を次の如く設定するのが良い。
【００２６】
80＜νdp1＜97    ・・・（1a）
0.025＜θgFp1−0.6438+0.001682×νdp1＜0.080    ・・・（2a）
更に本発明では、軸上光線の入射高が低く、軸外主光線の入射高が高い、後群の像面側の負レンズに、高屈折率、高分散の異常部分分散材料を用いている。これにより倍率色収差及び像面湾曲、非点収差を良好に補正している。
【００２７】
具体的には、負レンズGn1の材料の屈折率、アッベ数をそれぞれNdn1、νdn1、ｇ線とＦ線に対する部分分散比をθgFn1とする。このとき、
1.75＜Ndn1＜2.10・・・（3）
0.020＜θgFn1−0.6438+0.001682×νdn1＜0.100・・・（4）
なる条件を満足している。
【００２８】
条件式（3）の上限値を超えると、加工が容易な材料を入手することが困難でかつ、樹脂材料を始めとする加工が困難な材料に限られるため、生産性を考慮した際、望遠レンズに要望される良好な光学性能を安定して供給することが難しくなる。また、条件式（3）の下限値を超えると、像面湾曲及び非点収差の補正が不足するため、前群の正のパワーを緩める必要があり、その結果、レンズ全長が増大し、かつ前玉有効径が大型化してしまう。
【００２９】
条件式（4）の上限値を超えると、加工が容易な材料を入手することが困難でかつ、樹脂材料を始めとする加工が困難な材料に限られるため、生産性を考慮した際、望遠レンズに要望される良好な光学性能を安定して供給することが難しくなる。また、条件式（4）の下限値を超えると、ｇ線の倍率色収差の発生量が不足し、良好な光学性能を得ることが困難となる。
【００３０】
さらに好ましくは条件式(3),(4)の数値範囲を次の如く設定するのが良い。
【００３１】
1.80＜Ndn1＜2.00    ・・・（3a）
0.023＜θgFn1−0.6438+0.001682×νdn1＜0.070    ・・・（4a）
本発明では、以上の手法により、色収差を始めとした諸収差を良好に補正し、かつ小型軽量の撮影光学系を得ている。また、本発明において更に効果的に、小型軽量化、かつ良好な光学性能を得るのに好ましい条件について説明する。
【００３２】
本発明では、絞りSから後群LRの最も像側のレンズ面Reまでの距離をＬとするとき、絞りSからの距離が０．５Ｌから１．０Ｌまでの間に後群LRの負レンズGn1を配置している。これにより良好に倍率色収差を補正している。
【００３３】
ここで、距離０．５Ｌから１．０Ｌまでの間に負レンズGn1が位置するとは、この距離の間に負レンズGn1が全て含まれることを言う。
【００３４】
絞りSからの距離が０．５Ｌよりも短くなる位置に後群LRの負レンズGn1を配置した場合、軸外主光線の入射高が小さくなる。この結果、良好な倍率色収差の補正効果を得ることが困難となる。また、軸上光線の入射高が大きくなり、ｇ線の軸上色収差が過剰に補正されるため、好ましくない。
【００３５】
更に、後群LRは少なくとも１枚の正レンズGp2を有するのが良い。正レンズGp2の材料のｄ線に対する屈折率、アッベ数をそれぞれNdp2、νdp2とし、ｇ線とＦ線に対する部分分散比をθgFp2とする。このとき、
1.90＜Ndp2+0.0125νdp2＜2.24・・・（5）
-0.010＜θgFp2−0.6438+0.001682×νdp2＜0.003・・・（6）
なる条件のうち少なくとも１つを満足するのが良い。これにより倍率色収差を良好に補正している。
【００３６】
条件式（5）の上限値を超えると、屈折率Ndp2が大きいときは、像面湾曲と非点収差が過剰に補正され、アッベ数νdp2が大きいときは、Ｃ線とＦ線の倍率色収差が補正不足となるため、良好な光学性能を得ることが困難になる。条件式（5）の下限値を超えると、加工が容易な材料を入手することが困難でかつ、樹脂材料を始めとする加工が困難な材料に限られるため、生産性を考慮した際、望遠レンズに要望される良好な光学性能を安定して供給することが難しくなる。
【００３７】
条件式（6）の上限値を上回る場合、ｇ線の倍率色収差が補正過剰となり、後群LRの負レンズGn1で得た倍率色収差の補正効果を打ち消してしまう。また、条件式（6）の下限値を超えると、同時に条件式（5）を満たす材料を入手することが困難で、かつ樹脂材料を始めとする加工困難な材料に限られるため、生産性を考慮した際、良好な光学性能を安定して供給することが難しくなる。
【００３８】
さらに好ましくは上記条件式(5),(6)の数値範囲を次の如く設定するのが良い。
【００３９】
2.00＜Ndp2+0.0125νdp2＜2.20    ・・・（5a）
-0.008＜θgFp2−0.6438+0.001682×νdp2＜0.001    ・・・（6a）
また、絞りSからの距離が０．５Ｌから１．０Ｌまでの間に正レンズGp2を配置している。これにより良好に倍率色収差を補正している。
【００４０】
絞りSからの距離が０．５Ｌよりも短くなる位置に後群LRの正レンズGp2を配置した場合、軸外主光線の入射高が小さくなる。この結果、良好な倍率色収差の補正効果を得ることが困難となる。また、軸上光線の入射高が大きくなり、ｇ線の軸上色収差の発生量が不足するため、好ましくない。
【００４１】
また、本発明において、後群LRの正レンズGp2は、Ｎｂ2Ｏ3(酸化ニオブ）を主原料とする材料を使用している。前記後群の負レンズGn1は、現在市販の材料において条件式（3）、（4）を満たすものとして、ＮｐＯ2（ネプツニウム酸化物）を主原料とする材料があるが、青側の透過光の透過率が低い。通常、撮影光学系は、色再現を目指すため、光学系の透過光の色味を適当なバランスに保つ必要がある。
【００４２】
本発明では、ＮｐＯ2を使用しても、透過光の色味の変化を軽度にするべく、光学系中で外径が小さく中心肉厚を薄くしやすい後群LRの像側に、前記条件式（3）、（4）を満たす負レンズGn1を配置することで、黄色側へのシフトを軽減している。それでも尚、ＮｐＯ2を主原料とする材料を使用した際に、透過光は黄色側にシフトする傾向にあるときには、光学系全体の透過光を白色に近づけるべく、後群LR中の高分散な材料よりなる正レンズGp2を用いるのが良い。
【００４３】
通常、後群LR中の高分散な材料よりなる正レンズGp2は、厚さが厚い上に、青側の透過光の透過率がやや低いＴｉＯ2(酸化チタン）を主原料とする材料を使用することが多い。このため、透過光の色味が黄色側へ若干シフトする傾向にある。そこで、ＴｉＯ2ほど高分散ではないが、青側の透過光の透過率が比較的高いＮｂ2Ｏ3を主原料とする材料を使用することで、ＴｉＯ2を主原料とする材料を使用した時よりも、光学系全体の色味変化を抑えている。また、ＴｉＯ2は、条件式（6）の上限値を超えるため、ｇ線の倍率色収差が補正過剰になるが、Ｎｂ2Ｏ3を主原料とする材料は条件式（6）を満たしており、倍率色収差の補正の観点からも好ましい。
【００４４】
次に、本発明の数値実施例１及び図１に示す望遠レンズの詳細な構成について説明する。前群LFは、物体側より像側へ順に、両凸形状の正レンズL11、条件式（1）、（2）を満たす両凸形状の正レンズ(Gp1)L12、両凹形状のレンズL13から成る。さらに条件式（1）、（2）を満たす両凸形状の正レンズ(Gp1)L14、メニスカス形状の負レンズL15、正レンズと負レンズが接合された接合レンズL16から成る。正レンズL12と正レンズL14で、軸上色収差を良好に補正している。
【００４５】
本来、条件式（1）、（2）を満たす正レンズは、軸上光線の入射高が最も大きい物体側のレンズに配置することが好ましい。しかしながら、前記条件式を満たす材料には、蛍石等の傷がつきやすい材料が多く、表面を外傷から保護するために、傷がつきにくい材質の正レンズL11を最も物体側に配置している。また、光軸上を接合レンズL16が像側へ移動することで、無限遠物体から近距離物体へのフォーカシングを行っている。
【００４６】
次に、後群LRは、負レンズと正レンズが接合された接合レンズL21、正レンズL22、正レンズと負レンズが接合された接合レンズL23、負レンズL24、正レンズL25を有する。さらに、条件式（5）、（6）を満たすNb2O3を主原料とする正レンズGp2と条件式（3）、（4）を満たすNpO2を主原料とする負レンズGn1が接合された接合レンズL26から成る。
【００４７】
軸上光線の入射高が低く、軸外主光線の入射高が高い、最も像面側に配置する接合レンズL26で、軸上色収差に顕著な影響を与えることなく、倍率色収差を良好に補正している。また、接合レンズL26中のNpO2を主原料とする負レンズGn1で青側の透過光の透過率が下がった分、接合レンズL26中の肉厚が比較的厚い正レンズGp2に、Nb2O3を主原料とする材料を用いることで、全光学系での透過光の色味変化を抑えている。また、接合レンズL23及び負レンズL24を一体で光軸に対して垂直方向の成分を持つように移動させることで、防振補償を行っている。
【００４８】
次に、本発明の数値実施例２及び図３に示す望遠レンズの詳細な構成について説明する。前群LFは、数値実施例１と同様の構成である。後群LRは、負レンズと正レンズが接合された接合レンズL21、正レンズと負レンズが接合された接合レンズL22、負レンズL23、正レンズL24から成る。さらに条件式（5）、（6）を満たすNb2O3を主原料とする正レンズGp2と条件式（3）、（4）を満たすNpO2を主原料とする負レンズGn1が接合された接合レンズL25から成る。接合レンズL25は、数値実施例1の接合レンズL26と同様の効果を持っている。また、接合レンズL22及び負レンズL23を一体で光軸に対して垂直方向の成分を持つように移動させることで、防振補償を行っている。
【００４９】
数値実施例３及び図５に示す望遠レンズは、数値実施例２と同様の構成で、さらに焦点距離が長い望遠レンズを構成している。
【００５０】
次に本発明の数値実施例について説明する。各数値実施例において、ｉは物体側から数えた順序を示す。ｒｉは第ｉ番目の光学面の曲率半径、ｄｉは第ｉ面と第（ｉ＋１）面との間の軸上間隔、ｎｄｉとνｄｉはそれぞれｄ線に対する第ｉ番目と第（ｉ＋１）面との間の媒質の屈折率、アッべ数を示す。また、ｆは焦点距離、ＦｎｏはＦナンバー、ωは半画角である。また前述の各条件式と数値実施例における諸数値との関係を（表１）に示す。
【００５１】
（数値実施例1）                                                
i        ri            di       ndi      νdi      θgF      X      有効径
1      223.286       19.53    1.48749     70.2    0.5300   0.0043   136.01
2      -402.146      30.62                                          135.26
3      136.802       23.53    1.43387     95.1    0.5373   0.0534   110.92
4      -192.820      0.21                                           108.49
5      -191.708      6.25     1.83481     42.7    0.5636  -0.0083   108.21
6      292.480       36.00                                          102.34
7      100.415       16.28    1.43387     95.1    0.5373   0.0534   90.37
8      -533.060      0.15                                           88.55
9      53.545        7.30     1.48749     70.2    0.5300   0.0043   74.46
10     44.506        16.34                                          66.36
11     1044.833      4.83     1.80518     25.4    0.6161   0.0150   64.90
12     -167.445      3.20     1.80400     46.6    0.5572  -0.0083   64.40
13     97.967        35.72                                          59.80
14     （絞り）      4.11                                           52.21
15     83.141        1.80     1.76182     26.5    0.6135   0.0143   50.26
16     40.709        7.41     1.60738     56.8    0.5483   0.0001   47.92
17     149.823       5.17                                           47.44
18     214.296       4.31     1.60738     56.8    0.5483   0.0001   46.00
19     -147.734      9.85                                           45.64
20     54.689        5.85     1.84666     23.8    0.6205   0.0167   35.78
21     -100.387      1.70     1.77250     49.6    0.5521  -0.0083   35.03
22     30.341        5.72                                           30.67
23     -93.490       1.80     1.83481     42.7    0.5636  -0.0083   30.65
24     64.429        1.82                                           31.51
25     56.934        5.42     1.80518     25.4    0.6161   0.0150   33.67
26     -508.641      4.00                                           34.00
27     62.952        7.46     1.65412     39.7    0.5737  -0.0033   35.42
28     -54.572       1.80     1.92286     18.9    0.6495   0.0375   35.20
29     290.545       15.00                                          35.22
30     ∞            2.2      1.51633     64.14   0.5352  -0.0007   38.00
31     ∞                                                           38.00
※但し、X＝θgF-(0.6438-0.001682×νd)                  
各種データ                                
ｆ               392.16                           
FNO              2.90                             
画角ω           3.16                       
像高Y’          21.64                            
全長L            340.01                            
バックフォーカス 71.10                         
【００５２】
（数値実施例2）                                                
i        ri            di       ndi      νdi      θgF      X      有効径
1      265.748       17.78    1.48749     70.2    0.5300   0.0043   137.22
2      -420.408      48.08                                          136.43
3      143.732       21.90    1.43387     95.1    0.5373   0.0534   107.41
4      -188.181      0.28                                           105.24
5      -185.302      6.25     1.83481     42.7    0.5636  -0.0083   105.00
6      302.552       49.95                                          100.22
7      108.673       15.80    1.43387     95.1    0.5373   0.0534   88.96
8      -359.764      0.15                                           87.50
9      54.299        7.30     1.48749     70.2    0.5300   0.0043   74.76
10     45.818        16.22                                          67.81
11     420.291       4.26     1.80518     25.4    0.6161   0.0150   64.90
12     -344.747      3.20     1.80400     46.6    0.5572  -0.0083   64.27
13     111.419       43.73                                          60.52
14     （絞り）      6.55                                           48.31
15     185.602       1.80     1.72825     28.5    0.6077   0.0117   48.03
16     37.424        10.89    1.70154     41.2    0.5766   0.0021   46.28
17     -170.826      5.53                                           46.03
18     53.602        7.30     1.84666     23.8    0.6205   0.0167   40.07
19     -85.053       1.70     1.80610     40.9    0.5701  -0.0048   39.34
20     32.935        6.65                                           33.42
21     -65.258       1.80     1.83481     42.7    0.5636  -0.0083   33.44
22     121.680       4.63                                           33.77
23     72.705        6.32     1.64769     33.8    0.5939   0.0069   36.59
24     -125.549      0.20                                           37.06
25     92.173        10.46    1.65412     39.7    0.5737  -0.0033   37.43
26     -43.681       1.80     1.80810     22.8    0.6307   0.0251   36.98
27     261.177       15.00                                          36.91
28     ∞            2.2      1.51633     64.14   0.5352  -0.0007   36.00
29     ∞                                                           36.00
※但し、X＝θgF-(0.6438-0.001682×νd)                  
各種データ                                
ｆ               392.15                           
FNO              2.90                             
画角ω           3.16                       
像高Y’          21.64                            
全長L            372.00                            
バックフォーカス 70.72                          
【００５３】
（数値実施例3）                                                
i        ri            di       ndi      νdi      θgF      X      有効径
1      397.272       16.59    1.48749     70.2    0.5300   0.0043   145.69
2      -459.269      46.56                                          145.07
3      134.301       20.85    1.43387     95.1    0.5373   0.0534   119.47
4      -455.465      1.40                                           117.80
5      -392.780      5.90     1.83481     42.7    0.5636  -0.0083   116.96
6      269.463       72.58                                          111.63
7      105.274       15.06    1.43387     95.1    0.5373   0.0534   93.29
8      -1104.290     0.15                                           91.84
9      63.925        5.00     1.48749     70.2    0.5300   0.0043   80.77
10     52.819        31.84                                          74.75
11     413.496       5.41     1.80518     25.4    0.6161   0.0150   64.43
12     -200.760      3.30     1.83481     42.7    0.5636  -0.0083   63.80
13     116.310       72.57                                          60.11
14     （絞り）      7.03                                           43.11
15     218.039       2.00     1.83400     37.2    0.5775  -0.0038   41.13
16     53.513        6.10     1.74320     49.3    0.5530  -0.0078   40.04
17     -217.059      9.19                                           39.79
18     113.464       4.16     1.84666     23.8    0.6205   0.0167   34.24
19     -104.968      1.65     1.72000     50.2    0.5535   -0.0058  33.63
20     40.674        5.31                                           30.85
21     -61.122       1.60     1.83400     37.2    0.5775  -0.0038   30.78
22     -130.879      5.61                                           31.10
23     71.590        3.26     1.84666     23.8    0.6205   0.0167   31.45
24     177.571       4.59                                           31.21
25     -882.223      4.17     1.74950     35.3    0.5818  -0.0026   31.01
26     -44.263       1.90     1.92286     18.9    0.6495   0.0375   31.04
27     -147.669      12.00                                          31.41
28     ∞            2.00     1.51633     64.1    0.5352  -0.0007   31.00
29     ∞                                                           31.00
※但し、X＝θgF-(0.6438-0.001682×νd)                  
各種データ                                
ｆ               584.89                           
FNO              4.12                             
画角ω           2.12                       
像高Y’          21.64                            
全長L            475.58                            
バックフォーカス 121.13 
【００５４】
【表１】
2011085788.tif 000003
【００５５】
次に、本発明の光学系（撮影光学系）OLを用いた一眼レフカメラシステム(光学機器）の実施例を図７を用いて説明する。
【００５６】
図７において、１０は実施例１、２、３の撮影光学系１を有する撮影レンズである。撮影光学系１は保持部材である鏡筒２に保持されている。２０はカメラ本体であり、撮影レンズ１０からの光束を上方に反射するクイックリターンミラー３、撮影レンズ１０の像形成位置に配置された焦点板４を有している。更に、焦点板４に形成された逆像を正立像に変換するペンタダハプリズム５、その正立像を拡大結像するための接眼レンズ６等を有している。７は感光面であり、ＣＣＤセンサやＣＭＯＳセンサ等の固体撮像素子（光電変換素子）や銀塩フィルムが配置される。撮影時にはクイックリターンミラー３が光路から退避して、感光面７上に撮影レンズ１０によって像が形成される。尚、本発明はクイックリターンミラーのないＳＬＲ（Single Lens Reflex）カメラにも同様に適用することができる。
【００５７】
以上、本発明の好ましい光学系の実施例について説明したが、本発明はこれらの実施例に限定されないことは言うまでもなく、その要旨の範囲内で種々の変形及び変更が可能である。
【符号の説明】
【００５８】
LF  前群、LR  後群、S  開口絞り、G  ガラスブロック、IP  像面、d  d線、g  g線、dS、gS  サジタル像面、dM、gM  メリディオナル像面、Gp1、Gp2  正レンズ、Gn1  負レンズ
【図１】
2011085788.tif 000004
【図２】
2011085788.tif 000005
【図３】
2011085788.tif 000006
【図４】
2011085788.tif 000007
【図５】
2011085788.tif 000008
【図６】
2011085788.tif 000009
【図７】
2011085788.tif 000010